(57)【要約】【課題】  車両進行方向の前方に加熱用熱交換器、車両進行方向の後方に冷却用熱交換器を配置した空調ユニットの場合でも、後席側に開口した吹出口から空調された空気を吹き出させることを可能とする。【解決手段】  ユニットケース６の外壁部分と冷却用熱交換器３及び空気流入用開口部２に対し上方に形成された壁部１９とで少なくとも画成されており、一方端では冷却用熱交換器３の下流側上方に開口した空気取入口部１８Ａを有し、他方端では後席側に吹出口より空気を吹き出させるためのリアダクトと接続する開口部１８Ｂを有する後席用空気通路１８を形成する。【選択図】  図１
2005153754.tif 000002
【特許請求の範囲】
【請求項１】
冷却用熱交換器と加熱用熱交換器とを、前記冷却用熱交換器が前記加熱用熱交換器に対し車両進行方向の後方となるようにユニットケース内に配置し、
この冷却用熱交換器より車両進行方向の後方側に空気流入用開口部を形成し、
前記冷却用熱交換器と加熱用熱交換器との間に加熱用熱交換器に送られる空気とバイパスする空気との割合を調整するエアミックスドアを配置し、
前記加熱用熱交換器をバイパスした空気が流れる冷風通路と、前記加熱用熱交換器を通過した空気が流れる温風通路と、ベント吹出用開口部、デフ吹出用開口部、及び前席用フット吹出用開口部とを前記ユニットケースに形成すると共に、
前記冷却用熱交換器を通過した後、前記エアミックスドアの上流側にて車両進行方向の後方側に反転して、リアダクトに向う空気の流れを形成する後席用空気通路を前記ユニットケースに形成したことを特徴とする車両用空調ユニット。
【請求項２】
前記後席用空気通路は、少なくとも前記冷却用熱交換器及び空気流入用開口部に対し上方に形成された壁部を有して画成されており、その空気取入口部が前記冷却用熱交換器の下流側上方に開口していることを特徴とする請求項１に記載の車両用空調ユニット。
【請求項３】
前記後席用空気通路は、少なくとも前記冷却用熱交換器及び空気流入用開口部に対し下方に形成された壁部を有して画成されており、その空気取入口部が前記冷却用熱交換器の下流側下方に開口していることを特徴とする請求項１に記載の車両用空調ユニット。
【請求項４】
前記後席用空気通路は、前記空気流入用開口及び冷却用熱交換器に対し、車幅方向に沿ってずれて画成されており、その空気取入口部が前記冷却用熱交換器の下流側で且つ当該冷却用熱交換器の通風方向面に対し車幅方向側に開口していることを特徴とする請求項１に記載の車両用空調ユニット。
【請求項５】
前記後席用空気通路は、少なくとも前記冷却用熱交換器よりも車両進行方向の後方で且つ前記空気流入用開口部に対し上方に形成された壁部を有して画成されており、この壁部は、前記冷却用熱交換器に対しその長手方向に沿った側に一端を接することで、その空気取入口部が前記冷却用熱交換器に面して開口していることを特徴とする請求項１に記載の車両用空調ユニット。
【請求項６】
前記冷却用熱交換器から引き出された配管を覆う配管カバーに対し、前記冷却用熱交換器よりも下流側に空気取入口部を開口させると共に前記冷却用熱交換器よりも下流側に前記リアダクトと連通するための開口部を形成することで、前記後席用空気通路はこの配管カバーと兼用されていることを特徴とする請求項１に記載の車両用空調ユニット。
【請求項７】
冷却用熱交換器と加熱用熱交換器とを、前記冷却用熱交換器が前記加熱用熱交換器に対し車両進行方向の後方となるようにユニットケース内に配置し、
この冷却用熱交換器より車両進行方向の後方側に空気流入用開口部を形成し、
前記冷却用熱交換器と加熱用熱交換器との間に加熱用熱交換器に送られる空気とバイパスする空気との割合を調整するエアミックスドアを配置し、
前記加熱用熱交換器をバイパスした空気が流れる冷風通路と、前記加熱用熱交換器を通過した空気が流れる温風通路と、ベント吹出用開口部、デフ吹出用開口部、及び前席用フット吹出用開口部とを前記ユニットケースに形成すると共に、
前記冷風通路と前記温風通路との合流部位より下流側にて車両進行方向の後方側に反転して、リアダクトに向う空気の流れを形成する後席用空気通路を前記ユニットケースに形成したことを特徴とする車両用空調ユニット。
【請求項８】
前記ベント吹出用開口部の近傍部位に、少なくともこのベント吹出用開口部を開閉する吹出モードドアが配置されて、前記後席用空気通路は、少なくとも前記冷却用熱交換器及び空気流入用開口部に対し上方に形成された壁部を有して画成されていると共に、前記吹出モードドアの回転領域より下流側で且つ前記ベント吹出用開口部よりも上流側に、その空気取入口部が開口していることを特徴とする請求項７に記載の車両用空調ユニット。
【請求項９】
前記ベント吹出用開口部の近傍部位に、少なくともこのベント吹出用開口部を開閉する吹出モードドアが配置されて、前記後席用空気通路は、少なくとも前記冷却用熱交換器及び空気流入用開口部に対し上方に形成された壁部を有して画成されていると共に、前記吹出モードドアの回転領域よりも上流側に、その空気取入口部が開口していることを特徴とする請求項７に記載の車両用空調ユニット。
【請求項１０】
冷却用熱交換器と加熱用熱交換器とを、前記冷却用熱交換器が前記加熱用熱交換器に対し車両進行方向の後方となるようにユニットケース内に配置し、
この冷却用熱交換器より車両進行方向の後方側に空気流入用開口部を形成し、
前記冷却用熱交換器と加熱用熱交換器との間に加熱用熱交換器に送られる空気とバイパスする空気との割合を調整するエアミックスドアを配置し、
前記加熱用熱交換器をバイパスした空気が流れる冷風通路と、前記加熱用熱交換器を通過した空気が流れる温風通路と、ベント吹出用開口部、デフ吹出用開口部、及び前席用フット吹出用開口部とを前記ユニットケースに形成すると共に、
空気取入口が前記前席用フット吹出用開口部に近接して開口して、リアダクトに向う空気の流れを形成する後席用空気通路を前記ユニットケースに形成したことを特徴とする車両用空調ユニット。
【請求項１１】
冷却用熱交換器と加熱用熱交換器とを、前記冷却用熱交換器が前記加熱用熱交換器に対し車両進行方向の後方となるようにユニットケース内に配置し、
この冷却用熱交換器より車両進行方向の後方側に空気流入用開口部を形成し、
前記冷却用熱交換器と加熱用熱交換器との間に加熱用熱交換器に送られる空気とバイパスする空気との割合を調整するエアミックスドアを配置し、
前記加熱用熱交換器をバイパスした空気が流れる冷風通路と、前記加熱用熱交換器を通過した空気が流れる温風通路と、ベント吹出用開口部、デフ吹出用開口部、及び前席用フット吹出用開口部とを前記ユニットケースに形成すると共に、
前記温風通路の途中から分かれて車両進行方向の後方側に反転してリアダクトに向う空気の流れを形成する後席用空気通路を前記ユニットケースに形成したことを特徴とする車両用空調ユニット。
【請求項１２】
前記後席用空気通路は、前記加熱用熱交換器の下流側で且つ前記ユニットケースの下方において空気取入口が開口していることを特徴とする請求項１１に記載の車両用空調ユニット。
【請求項１３】
前記後席用空気通路は、前記前記加熱用熱交換器と前記エアミックスドアの突当部位とを結び、更に前記冷却用熱交換器及び空気流入用開口部に対し下方となる位置まで延設された壁部を少なくとも有して画成されており、その空気取入口部が前記加熱用熱交換器の上流側下方に面して開口していることを特徴とする請求項１１に記載の車両用空調ユニット。
【請求項１４】
前記加熱用熱交換器から引き出された配管を覆う配管カバーに対し、前記加熱用熱交換器よりも下流側に空気取入口部を開口させると共に前記加熱用熱交換器に対し車両進行方向の後方側に前記リアダクトと連通するための開口部を形成することで、前記後席用空気通路はこの配管カバーと兼用されていることを特徴とする請求項１１に記載の車両用空調ユニット。
【請求項１５】
前記温風通路から前記後席用空気通路の空気取入口に温風を案内するためのバッフルプレートが前記冷風通路と温風通路との合流部位に配置されていることを特徴とする請求項７、８又は９に記載の車両用空調ユニット。
【請求項１６】
前記後席用空気通路を前記空気流入用開口部より車両進行方向の後方側に突出しないように前記空気流入用開口部から前記冷却用熱交換器までの整流ガイド路内に配置したことを特徴とする請求項１、２、４、５、７、８、９又は１５に記載の車両用空調ユニット。
【発明の詳細な説明】
【技術分野】
【０００１】
この発明は、加熱用熱交換器が車両進行方向の前方側に配置され、冷却用熱交換器が車両進行方向の後方側に配置された車両用空調ユニットに関する。
【背景技術】
【０００２】
当社では、クールデフ現象を防止するために、加熱用熱交換器が冷却用熱交換器の車両進行方向の前方側に位置すると共に、この加熱用熱交換器を通過した空気が流れる温風通路が当該加熱用熱交換器を迂回した空気が流れる冷風通路の車両に対し車両進行方向の前方に位置し、更に、デフ吹出通路用開口部及びフット吹出通路用開口部がベント吹出通路用開口部よりも車両進行方向の前方に位置する構成態様の車両用空調装置のエアコンユニットを開発している（例えば、特許文献１を参照）。
【０００３】
一方で、当社では、車室内の快適性を向上させるために、ユニットケースに後席用の吹出口としてのリアフット吹出口を設け、このリアフット吹出口から温風を後席側の足元へ供給するようにした車両用空調装置を開発している（例えば、特許文献２の特に図４を参照）。
【特許文献１】特開２０００−２７２３２９号公報
【特許文献２】特開２００３−１３６９３６号公報
【発明の開示】
【発明が解決しようとする課題】
【０００４】
しかしながら、特許文献１に記載の車両用空調装置のエアコンユニットは、専ら前席の空調用としてのみ用いる構成態様で開示されているもので、後席に対しても空調された空気を提供可能な構成とはなっていない。その一方で、車両用空調装置のエアコンユニットは、特許文献２の車両用空調装置とは異なり、上述したように冷却用熱交換器が車両進行方向の後方側、加熱用熱交換器が車両進行方向の前方側に位置するので、当該特許文献２に示す構成をそのまま流用することができないことから、新たな着想が必要となる。
【０００５】
そこで、本発明は、車両進行方向の前方に加熱用熱交換器、車両進行方向の後方に冷却用熱交換器を配置した空調ユニットの場合でも、後席側に開口した吹出口から空調された空気を吹き出させることが可能な車両用空調ユニットを提供することを目的とするものである。
【課題を解決するための手段】
【０００６】
本発明に係る車両用空調ユニットは、冷却用熱交換器と加熱用熱交換器とを、前記冷却用熱交換器が前記加熱用熱交換器に対し車両進行方向の後方となるようにユニットケース内に配置し、この冷却用熱交換器より車両進行方向の後方側に空気流入用開口部を形成し、前記冷却用熱交換器と加熱用熱交換器との間に加熱用熱交換器に送られる空気とバイパスする空気との割合を調整するエアミックスドアを配置し、前記加熱用熱交換器をバイパスした空気が流れる冷風通路と、前記加熱用熱交換器を通過した空気が流れる温風通路と、ベント吹出用開口部、デフ吹出用開口部、及び前席用フット吹出用開口部とを前記ユニットケースに形成すると共に、前記冷却用熱交換器を通過した後、前記エアミックスドアの上流側にて車両進行方向の後方側に反転して、リアダクトに向う空気の流れを形成する後席用空気通路を前記ユニットケースに形成したことを特徴としている（請求項１）。
【０００７】
上記請求項１に記載の車両用空調ユニットにあって、前記後席用空気通路は、少なくとも前記冷却用熱交換器及び空気流入用開口部に対し上方に形成された壁部を有して画成されており、その空気取入口部が前記冷却用熱交換器の下流側上方に開口していることを特徴としている（請求項２）。また、前記後席用空気通路は、少なくとも前記冷却用熱交換器及び空気流入用開口部に対し下方に形成された壁部を有して画成されており、その空気取入口部が前記冷却用熱交換器の下流側下方に開口していることを特徴としている（請求項３）。更に、前記後席用空気通路は、前記空気流入用開口及び冷却用熱交換器に対し、車幅方向に沿ってずれて画成されており、その空気取入口部が前記冷却用熱交換器の下流側で且つ当該冷却用熱交換器の通風方向面に対し車幅方向側に開口していることを特徴としている（請求項４）。更にまた、前記後席用空気通路は、少なくとも前記冷却用熱交換器よりも車両進行方向の後方で且つ前記空気流入用開口部に対し上方に形成された壁部を有して画成されており、この壁部は、前記冷却用熱交換器に対しその長手方向に沿った側に一端を接することで、その空気取入口部が前記冷却用熱交換器に面して開口していることを特徴としている（請求項５）。そして、前記冷却用熱交換器から引き出された配管を覆う配管カバーに対し、前記冷却用熱交換器よりも下流側に空気取入口部を開口させると共に前記冷却用熱交換器よりも下流側に前記リアダクトと連通するための開口部を形成することで、前記後席用空気通路はこの配管カバーと兼用されていることを特徴としている（請求項６）。
【０００８】
本発明に係る車両用空調ユニットは、冷却用熱交換器と加熱用熱交換器とを、前記冷却用熱交換器が前記加熱用熱交換器に対し車両進行方向の後方となるようにユニットケース内に配置し、この冷却用熱交換器より車両進行方向の後方側に空気流入用開口部を形成し、前記冷却用熱交換器と加熱用熱交換器との間に加熱用熱交換器に送られる空気とバイパスする空気との割合を調整するエアミックスドアを配置し、前記加熱用熱交換器をバイパスした空気が流れる冷風通路と、前記加熱用熱交換器を通過した空気が流れる温風通路と、ベント吹出用開口部、デフ吹出用開口部、及び前席用フット吹出用開口部とを前記ユニットケースに形成すると共に、前記冷風通路と前記温風通路との合流部位より下流側にて車両進行方向の後方側に反転して、リアダクトに向う空気の流れを形成する後席用空気通路を前記ユニットケースに形成したことを特徴としている（請求項７）。
【０００９】
上記請求項７に記載の車両用空調ユニットにあって、前記ベント吹出用開口部の近傍部位に、少なくともこのベント吹出用開口部を開閉する吹出モードドアが配置されて、前記後席用空気通路は、少なくとも前記冷却用熱交換器及び空気流入用開口部に対し上方に形成された壁部を有して画成されていると共に、前記吹出モードドアの回転領域内より下流側で且つ前記ベント吹出用開口部よりも上流側に、その空気取入口部が開口していることを特徴としている（請求項８）。また、前記ベント吹出用開口部の近傍部位に、少なくともこのベント吹出用開口部を開閉する吹出モードドアが配置されて、前記後席用空気通路は、少なくとも前記冷却用熱交換器及び空気流入用開口部に対し上方に形成された壁部を有して画成されていると共に、前記吹出モードドアの回転領域よりも上流側に、その空気取入口部が開口していることを特徴としている（請求項９）。
【００１０】
本発明に係る車両用空調ユニットは、冷却用熱交換器と加熱用熱交換器とを、前記冷却用熱交換器が前記加熱用熱交換器に対し車両進行方向の後方となるようにユニットケース内に配置し、この冷却用熱交換器より車両進行方向の後方側に空気流入用開口部を形成し、前記冷却用熱交換器と加熱用熱交換器との間に加熱用熱交換器に送られる空気とバイパスする空気との割合を調整するエアミックスドアを配置し、前記加熱用熱交換器をバイパスした空気が流れる冷風通路と、前記加熱用熱交換器を通過した空気が流れる温風通路と、ベント吹出用開口部、デフ吹出用開口部、及び前席用フット吹出用開口部とを前記ユニットケースに形成すると共に、空気取入口が前記前席用フット吹出用開口部に近接して開口して、リアダクトに向う空気の流れを形成する後席用空気通路を前記ユニットケースに形成したことを特徴としている（請求項１０）。
【００１１】
本発明に係る車両用空調ユニットは、冷却用熱交換器と加熱用熱交換器とを、前記冷却用熱交換器が前記加熱用熱交換器に対し車両進行方向の後方となるようにユニットケース内に配置し、この冷却用熱交換器より車両進行方向の後方側に空気流入用開口部を形成し、前記冷却用熱交換器と加熱用熱交換器との間に加熱用熱交換器に送られる空気とバイパスする空気との割合を調整するエアミックスドアを配置し、前記加熱用熱交換器をバイパスした空気が流れる冷風通路と、前記加熱用熱交換器を通過した空気が流れる温風通路と、ベント吹出用開口部、デフ吹出用開口部、及び前席用フット吹出用開口部とを前記ユニットケースに形成すると共に、前記温風通路の途中から分かれて車両進行方向の後方側に反転してリアダクトに向う空気の流れを形成する後席用空気通路を前記ユニットケースに形成したことを特徴としている（請求項１１）。
【００１２】
上記請求項１１に記載の車両用空調ユニットにあって、前記後席用空気通路は、前記加熱用熱交換器の下流側で且つ前記ユニットケースの下方において空気取入口が開口していることを特徴としている（請求項１２）。また、前記後席用空気通路は、前記前記加熱用熱交換器と前記エアミックスドアの突当部位とを結び、更に前記冷却用熱交換器及び空気流入用開口部に対し下方となる位置まで延設された壁部を少なくとも有して画成されており、その空気取入口部が前記加熱用熱交換器の上流側下方に面して開口していることを特徴としている（請求項１３）。また、前記加熱用熱交換器から引き出された配管を覆う配管カバーに対し、前記加熱用熱交換器よりも下流側に空気取入口部を開口させると共に前記加熱用熱交換器に対し車両進行方向の後方側に前記リアダクトと連通するための開口部を形成することで、前記後席用空気通路はこの配管カバーと兼用されていることを特徴としている（請求項１４）。
【００１３】
これに対し、前記後席用空気通路が少なくとも前記冷却用熱交換器及び空気流入用開口部に対し上方に形成された壁部を有して画成されている場合には、前記温風通路から前記後席用空気通路の空気取入口に温風を案内するためのバッフルプレートが前記冷風通路と温風通路との合流部位に配置されていても良い（請求項１５）。
【００１４】
また、前記後席用空気通路が少なくとも前記冷却用熱交換器及び空気流入用開口部に対し上方に形成された壁部を有して画成されている場合には、前記後席用空気通路を前記空気流入用開口部より車両進行方向の後方側に突出しないように前記空気流入用開口部から前記冷却用熱交換器までの整流ガイド路内に配置しても良い（請求項１６）。
【発明の効果】
【００１５】
よって、この発明によれば、車両進行方向の前方に加熱用熱交換器、車両進行方向の後方に冷却用熱交換器を配置した空調ユニットに対し、後席に空調された空気を提供するための後席用空気通路をできるだけ小さなスペースで画成することができる。
【００１６】
特に、請求項１から請求項６に記載の発明によれば、冷却用熱交換器で冷却された空気を加熱用熱交換器により再加熱することなく後席用空気通路からリアダクトに送ることができる。そして、請求項５に記載の発明によれば、一度冷却用熱交換器で冷却された後更に冷却用熱交換器で再冷却されるので、確実に冷却された空気を後席用空気通路からリアダクトに送ることができる。また、請求項６に記載の発明によれば、冷却用熱交換器から引き出される配管を覆うための配管カバーを後席用空気通路に利用するので、新たに後席用空気通路のためのスペースを確保する必要がなく、空調ユニットの省スペース化をより一層図ることができる。
【００１７】
特に、請求項７から請求項９に記載の発明によれば、エアミックスドアより下流側に後席用空気通路が開口しているので、エアミックスの開度の比率を調整して、加熱用熱交換器を通過した温風、加熱用熱交換器を迂回した冷風、又はこれらを適宜混合した空気として、後席用空気通路からリアダクトに空気を送ることができる。
【００１８】
特に、請求項１０に記載の発明によれば、フロントフット吹出用開口部に近接して後席用空気通路が開口しているので、フロントフット吹出空気と同様に温度設定された空気を後席用空気通路からリアダクトに送ることができる。
【００１９】
特に、請求項１１から請求項１４に記載の発明によれば、加熱用熱交換器で加熱された空気を後席用空気通路からリアダクトに送ることができる。そして、請求項１３に記載の発明によれば、一度加熱用熱交換器で加熱された後更に加熱用熱交換器で再加熱されるので、確実に加熱された空気を後席用空気通路からリアダクトに送ることができる。また、請求項１４に記載の発明によれば、加熱用熱交換器から引き出される配管を覆うための配管カバーを後席用空気通路に利用するので、新たに後席用空気通路のためのスペースを確保する必要がなく、空調ユニットの省スペース化をより一層図ることができる。
【００２０】
特に、請求項１５に記載の発明によれば、後席用空気通路が冷却用通路と温風通路との合流部位よりも下流側に開口している場合に、バッフルプレートによって温風が後席用空気通路の空気取入口部まで確実に送られるので、温風が冷却用通路からの冷風に押される等して充分に送られず、想定された温度以下で空気が後席用空気通路からリアダクトに送られる事態を防止することが可能である。
【００２１】
特に、請求項１６に記載の発明によれば、後席用空気通路が冷却用熱交換器に対し車両進行方向の後方側面に回り込むよう画成されていても、空気流入用開口部より車両進行方向の後方側に突出しないので、空調ユニットの車両進行方向に沿った側の幅が相対的に狭まり、空調ユニットの省スペース化の要請に応ずることができる。
【発明を実施するための最良の形態】
【００２２】
以下、この発明の実施形態を図面により説明する。
【００２３】
図１から図５において、温調ユニット部１の第１の実施形態の様々なパターンが示されている。これらの温調ユニット部１は、内外気導入口、内外気切換ドア、送風機を少なくとも有するブロワユニット部（図示せず）と連結されることで、車両のセンターコンソール部に搭載されるセミ一体型の縦置形式の空調ユニットを構成している。
【００２４】
これらの温調ユニット部１は、ブロワユニット部から送られてきた空気を冷却するエバポレータ等の冷却用熱交換器３、この冷却用熱交換器３で冷却された空気を再加熱するヒータコア等の加熱用熱交換器４、及び冷却用熱交換器３と加熱用熱交換器４との間に配置されて加熱用熱交換器４に送られる空気とバイパスする空気との割合を調整するエアミックスドア５をユニットケース６内に有している。このうち、加熱用熱交換器４は、温調ユニット部１の小型化の要請等から、これらの実施形態では、頭部が車両進行方向の前方側に傾倒して配置されている。
【００２５】
また、これらの温調ユニット部１は、ユニットケース６内に、加熱用熱交換器４に対し下流側となる車両進行方向前方側にて、前記加熱用熱交換器で再加熱された空気が通過する温風通路７が形成されていると共に、冷却用熱交換器３の下流側で且つ加熱用熱交換器４及びエアミックスドア５に対し図上略上方となる側に冷風通路８が形成されている。
【００２６】
そして、温調ユニット部１の温風通路７と冷風通路８とが合流する部位９よりも下流側において、ベント吹出用開口部１０、デフ吹出用開口部１１、フロントフット吹出用開口部１２が、ユニットケース６に適宜開口している。また、これらの実施形態では、加熱用熱交換器４の下流側からフット吹出用開口部１２まで空気を案内するエアガイド１３が形成されている。
【００２７】
前記吹出用開口部１０、１１、１２は、図示しないダクトを介して車室内に開口した吹出口と連通し、ベント吹出用開口部１０とデフ吹出用開口部１１への流路とを選択的に開閉する吹出モードドア１４及び、デフ吹出用開口部１１とフット吹出用開口部１２とを選択的に開閉する吹出モードドア１５が回転可能に配置されている。
【００２８】
そして、温調ユニット部１は、ユニットケース６の車両進行方向の最も後方において、ブロワユニット部と連結するための開口部２が形成され、これに伴い、冷却用熱交換器３は、加熱用熱交換器４に対し車両進行方向後方側に配置されている。しかるに、ベント吹出用開口部１０、デフ吹出用開口部１１を車両進行方向の前方側に移行させても、冷却用熱交換器３の頂部は、ベント吹出用開口部１０に対しその直下より車両進行方向の後方にずれて位置させることができる。このため、冷却用熱交換器３を通過した空気がベント吹出用開口部１０に向う流れのカーブを緩やかにすることができるので、空気抵抗を相対的に小さくすることができる。また、従来の配置方法に従って車両進行方向前方側に冷却用熱交換器３が配置される場合に比し、デフ吹出用開口部１１の開口面積を十分に確保することもできる。
【００２９】
ところで、これらの第１の実施形態では、冷却用熱交換器３を通過した後、エアミックスドア５に対し上流側となる部位で車両進行方向の後方側に反転して、図示しないリアダクトに向う空気の流れを形成するための後席用空気通路１８を有している。
【００３０】
このうち、図１において第１の実施形態の更に第１の例として示される後席用空気通路１８は、ユニットケース６の外壁部分と、冷却用熱交換器３に対し車両進行方向の前方側かつ上方から開口部２の上方を経て開口部２の車両進行方向の後方側に回り込むように延出した壁部１９とで少なくとも画成されたものである。これに伴い、後席用空気通路１８の一方端は、冷却用熱交換器３に対し車両進行方向の前方側かつ上方側となる部位に開口する空気取入口部１８Ａを有し、他方端は、温調ユニット１の車両進行方向の後方側で下方側となる部位に開口してリアダクトと接続する開口部１８Ｂを有する。冷却用熱交換器２を通過した空気をエアミックスドア５側に集約し且つ混合部位１９と仕切るための壁部２２は、空気取入口部１８Ａに空気を案内するガイドとしての役割を果たす。
【００３１】
しかるに、この実施形態によれば、図１で示される矢印のように、開口部２から温調ユニット部１内に送り込まれた空気は、冷却用熱交換器３を通過して冷却された後、エアミックスドア５に対し上流側となる部位で、冷却用熱交換器３の通風方向と対峙した面に沿って図の上方に流れ、その後反転して後席用空気通路１８の空気取入口部１８Ａに進む。そして、後席用空気通路１８内をその形状に沿って流れ、しかる後に開口部１８Ｂからリアダクトに送られて、後席に対し吹出口から冷風として吹き出される。
【００３２】
図２において第１の実施形態のうちの第２の例として示される後席用空気通路１８は、少なくともユニットケース６の外壁部分と、冷却用熱交換器３に対し車両進行方向の前方側かつ下方から開口部２の車両進行方向の後方側まで略直線状に延出した壁部１９とで画成されたものである。これに伴い、後席用空気通路１８の一方端は、冷却用熱交換器３に対し車両進行方向の前方側かつ下方側となる部位に開口する空気取入口部１８Ａを有し、他方端は、温調ユニット１の車両進行方向の後方側で下方側となる部位に開口して、リアダクトと接続する開口部１８Ｂを有する。
【００３３】
しかるに、この実施形態によれば、図２で示される矢印のように、開口部２から温調ユニット部１内に送り込まれた空気は、冷却用熱交換器３を通過して冷却された後、エアミックスドア５に対し上流側となる部位で、冷却用熱交換器３の通風方向と対峙した面に沿って図の下方に流れ、その後反転して後席用空気通路１８の空気取入口部１８Ａに進む。そして、後席用空気通路１８内をその形状に沿って流れ、しかる後に開口部１８Ｂからリアダクトに送られて、後席に対し吹出口から冷風として吹き出される。
【００３４】
図３において第１の実施形態のうちの第３の例として示される後席用空気通路１８は、その下流側部位がユニットケース６の外壁部分と開口部２に対し車両進行方向の後方側に配された壁部１９とで画成されたものであるが、その上流側部位は冷却用熱交換器３に対し車両幅方向に沿ってずれてダクト状に画成されている。そして、後席用空気通路１８のダクト状部位の先端は、冷却用熱交換器３よりも車両進行方向の前方に突出している。これに伴い、後席用空気通路１８の一方端は、冷却用熱交換器３に対し車両進行方向の前方側かつ側方側となる部位に開口する空気取入口部１８Ａを有し、他方端は、温調ユニット１の車両進行方向の後方側で下方側となる部位に開口してリアダクトと接続する開口部１８Ｂを有する。尚、この実施形態では、後席用空気通路１８のダクト状部分は、図上、冷却用熱交換器３に対し車幅方向の前方側に位置しているが、必ずしもこれに限定されず、車幅方向の後方側に位置するものであっても良い。
【００３５】
しかるに、この実施形態によれば、図３で示される矢印のように、開口部２から温調ユニット部１内に送り込まれた空気は、冷却用熱交換器３を通過して冷却された後、エアミックスドア５に対し上流側となる部位で、冷却用熱交換器３の通風方向と対峙した面に沿って図の上方に流れ、その後車両の幅方向に沿った流れに変わって後席用空気通路１８の空気取入口部１８Ａに進む。そして、後席用空気通路１８内をその形状に沿って流れ、しかる後に開口部１８Ｂからリアダクトに送られて、後席に対し吹出口から冷風として吹き出される。
【００３６】
図４において第１の実施形態のうちの第４の例として示される後席用空気通路１８は、ユニットケース６の外壁部分と、図１、図２に示される冷却用熱交換器３よりも相対的に長手方向寸法を延ばした冷却用熱交換器３に対し車両進行方向の後方側で且つ長手方向に沿った側の途中部位から開口部２の上方を経て開口部２の車両進行方向の後方側に回り込むように延出した壁部１９とで少なくとも画成されたものである。これに伴い、後席用空気通路１８の一方端は、冷却用熱交換器３の車両進行方向後方側の通風方向対峙面に接することで、当該冷却用熱交換器３の通風方向対峙面に対向して開口する空気取入口部１８Ａを有し、他方端は、温調ユニット１の車両進行方向の後方側で下方側となる部位に開口してリアダクトと接続する開口部１８Ｂを有する。壁部２２は、図１と同様に空気取入口部１８Ａに空気を案内するガイドとしての役割を果たす。
【００３７】
しかるに、この実施形態によれば、図４で示される矢印のように、開口部２から温調ユニット部１内に送り込まれた空気は、冷却用熱交換器３を通過して冷却された後、エアミックスドア５に対し上流側となる部位で、冷却用熱交換器３の通風方向と対峙した面に沿って図の上方に流れ、その後反転して再び冷却用熱交換器３の上部を通過して冷却されて、後席用空気通路１８の空気取入口部１８Ａに進む。そして、後席用空気通路１８内をその形状に沿って流れ、しかる後に開口部１８Ｂからリアダクトに送られて、後席に対し吹出口から冷風として吹き出される。
【００３８】
図５において第１の実施形態のうちの第５の例として示される後席用空気通路１８は、その一部を冷却用熱交換器３から引き出された配管１６、１６を覆う配管カバー２０と兼用されているものである。すなわち、後席用空気通路１８は、その下流側部位がユニットケース６の外壁部分と開口部２に対し車両進行方向の後方側に配された壁部１９とで画成されたものである。これに対し、後席用空気通路１８の上流側部位を兼ねる配管カバー２０は、冷却用熱交換器３の通風方向に沿った面から車両進行方向の前方側と後方側とに延出したボックス状に画成されている。これに伴い、後席用空気通路１８の上流側部位を兼ねる配管カバー２０は、冷却用熱交換器３よりも下流側（車両進行方向の前方）となる部位に開口する空気取入口部８Ａと、冷却用熱交換器３よりも車両進行方向の後方となる部位に後席用空気通路１８の下流側部位と連通するために開口する開口部１８Ｃを有している。後席用空気通路１８の下流側部位は、開口部１８Ｃとは反対側端において温調ユニット１の車両進行方向の後方側で下方側となる部位に開口してリアダクトと接続する開口部１８Ｂを有する。
【００３９】
しかるに、この実施形態によれば、図５で示される矢印のように、開口部２から温調ユニット部１内に送り込まれた空気は、冷却用熱交換器３を通過して冷却された後、エアミックスドア５に対し上流側となる部位で、冷却用熱交換器３の通風方向と対峙した面に沿って図の上方に流れ、その後車両の幅方向に沿った流れに変わって後席用空気通路１８の上流側部位を兼ねる配管カバー２０の空気取入口部１８Ａに進む。そして、配管カバー２０内を車両進行方向の後方側に流れて開口部１８Ｃから後席用空気通路１８の下流側部位に移る。最後に、後席用空気通路１８の下流側部位内をその形状に沿って流れ、しかる後に開口部１８Ｂからリアダクトに送られて、後席に対し吹出口から冷風として吹き出される。よって、配管カバー２０と後席用空気通路１８の一部とが兼用となるので、後席用空気通路１８を確保するためのスペースが削減され、温調ユニット部１の省スペース化を図ることができる。
【００４０】
もっとも、後席用空気通路１８は、上述した第１の実施形態のような冷却用熱交換器３を通過した後、エアミックスドア５に対し上流側となる部位で車両進行方向の後方側に反転して、図示しないリアダクトに向う空気の流れを形成するものに限定されない。以下、第２の実施形態、第３の実施形態、第４の実施形態として、各々図６から図１１を適宜用いて記述する。尚、温調ユニット部１の同様の構成については同一の符号を附してその説明を省略した。
【００４１】
図６及び図７に示される第２の実施形態では、温調ユニット部１は、冷風通路７と温風通路８との合流部位９より下流側にて車両進行方向の後方側に反転して、リアダクトに向う空気の流れを形成するための後席用空気通路１８を有している。
【００４２】
このうち、図６において第２の実施形態の更に第１の例として示される後席用空気通路１８は、ユニットケース６の外壁部分と、相対的にベント吹出用開口部１０側に延出した壁部２２と同じ位置から冷却用熱交換器３の上方まで降り、更に開口部２の上方を経て開口部２の車両進行方向の後方側に回り込むように延出した壁部１９とで少なくとも画成されたものである。壁部１９の一方端側は、この実施形態では、壁部２２よりも車両進行方向の前方に突出して吹出モードドア１４が突当するようになっている。これに伴い、後席用空気通路１８の一方端は、吹出モードドア１４の回転領域よりも下流側において車両進行方向の後方側に開口する空気取入口部１８Ａを有し、他方端は、温調ユニット１の車両進行方向の後方側で下方側となる部位に開口してリアダクトと接続する開口部１８Ｂを有する。そして、この実施形態では後席用空気通路１８の空気取入口部１８Ａから少し入った箇所に後席用空気通路１８を開閉するための開閉ドア２３が回転可能に配置されている。
【００４３】
しかるに、この実施形態によれば、ベントモードで且つエアミックスドア５が冷風通路８と温風通路７との双方に対し開いており、更に開閉ドア２３が開放されている場合には、図６で示される矢印のように、開口部２から温調ユニット部１内に送り込まれた空気は、冷却用熱交換器３を通過して冷却された後、冷風通路８と温風通路７とに分岐し、混合部位９で合流し適宜エアミックスされ、その後吹出モードドア１４の回転領域内を通り、反転して後席用空気通路１８の空気取入口部１８Ａに進む。そして、後席用空気通路１８内をその形状に沿って流れ、しかる後に開口部１８Ｂからリアダクトに送られて、後席に対し吹出口から混合空気として吹き出される。但し、これは例示であり、エアミックスドア５の開度が０％であれば全て加熱用熱交換器４をバイパスした冷風として吹き出され、エアミックスドア５の開度が１００％であれば、全て加熱用熱交換器により再加熱された相対的に高温の温風として吹き出される。このため、後席に提供される空気について冷風に限られず、ユーザーの好む温度に調節することが可能である。
【００４４】
図７において第２の実施形態のうちの第２の例として示される後席用空気通路１８は、ユニットケース６の外壁部分と、壁部２２の車両進行方向の後端部から冷却用熱交換器３の上方、更には開口部２の上方を経て開口部２の車両進行方向の後方側に回り込むように延出した壁部１９とで少なくとも画成されたものである。これに伴い、後席用空気通路１８の一方端は、吹出モードドア１４の回転領域よりも上流側において車両進行方向の後方側に開口する空気取入口部１８Ａを有し、他方端は、温調ユニット１の車両進行方向の後方側で下方側となる部位に開口してリアダクトと接続する開口部１８Ｂを有する。そして、この実施形態では後席用空気通路１８の空気取入口部１８Ａから少し入った箇所に後席用空気通路１８を開閉するための開閉ドア２３が回転可能に配置されている。
【００４５】
しかるに、この実施形態によれば、ベントモードで且つエアミックスドア５の開度が０％で冷風通路８のみ開放されており、更に開閉ドア２３が開放されている場合には、図７で示される矢印のように、開口部２から温調ユニット部１内に送り込まれた空気は、冷却用熱交換器３を通過して冷却された後、冷風通路８から混合部位９を通過して、吹出モードドア１４の回転領域よりも上流側を通り、その後反転して後席用空気通路１８の空気取入口部１８Ａに進む。そして、後席用空気通路１８内をその形状に沿って流れ、しかる後に開口部１８Ｂからリアダクトに送られて、後席に対し吹出口から冷風として吹き出される。但し、これは例示であり、エアミックスドア５の開度が０％よりも大きく１００％未満であれば混合部位９でエアミックスされた温調空気として吹き出され、エアミックスドア５の開度が１００％であれば、全て加熱用熱交換器により加熱された相対的に高温の温風として吹き出される。このため、後席に提供される空気について冷風に限られず、ユーザーの好む温度の空気に調節することが可能である。
【００４６】
図８に示される第３の実施形態では、温調ユニット部１は、空気取入口１８Ａが前席用フット吹出用開口部１２よりも上流側においてユニットケース６の下方に開口したダクト状の後席用空気通路１８を有している。そして、この後席用空気通路１８の他方端は、リアダクトと接続するための開口部１８Ｂが形成されている。
【００４７】
しかるに、この実施形態によれば、フットモードで、且つエアミックスドア５の開度が１００％で温風通路７のみ開放されている場合には、図８で示される矢印のように、開口部２から温調ユニット部１内に送り込まれた空気は、冷却用熱交換器３を通過して冷却された後、加熱用熱交換器により加熱されて、温風通路７から混合部位９を通過して、吹出モードドア１４の回転領域内及び吹出モードドア１５の回転領域内を通り、ガイド１３に沿って流れた後に、後席用空気通路１８の空気取入口部１８Ａに進む。そして、後席用空気通路１８内をその形状に沿って流れ、しかる後に開口部１８Ｂからリアダクトに送られて、後席に対し吹出口から混合空気として吹き出される。但し、これは例示であり、デフフットモード等、前席用フット吹出用開口部１２及び後席用空気通路１８の空気取入口部１８Ａまでの空気の流路を有するように、吹出モードドア１４、１５の開度があれば良い。
【００４８】
よって、第３の実施形態では、後席用空気通路１８からリアダクトを経て流れる空気は、前席用フット吹出用開口部１２から前席に吹き出される空気と同様の温度に設定されたものとすることができる。
【００４９】
図９、図１０及び図１１に示される第４の実施形態では、温調ユニット部１は、温風通路７の途中から分かれて車両進行方向の後方側に反転してリアダクトに向う空気の流れを形成するための後席用空気通路１８を有している。
【００５０】
このうち、図９において第４の実施形態の更に第１の例として示される後席用空気通路１８は、空気取入口１８Ａが加熱用熱交換器４の下流側近傍においてユニットケース６の下方に開口したダクト状をなしている。そして、この実施形態では後席用空気通路１８に対し空気取入口部１８Ａから少し入った箇所に後席用空気通路１８を開閉するための開閉ドア２３が回転可能に配置されていると共に、後席用空気通路１８の他方端には、リアダクトと接続するための開口部１８Ｂが形成されている。
【００５１】
しかるに、この実施形態によれば、エアミックスドア５の開度が１００％で温風通路７のみ開放され、更に開閉ドア２３が開放されている場合には、図９で示される矢印のように、開口部２から温調ユニット部１内に送り込まれた空気は、冷却用熱交換器３を通過して冷却された後、加熱用熱交換器の通過により加熱されて、温風通路７に流入し、その後主な流れから下方に向けて分岐して後席用空気通路１８の空気取入口部１８Ａに進む。そして、後席用空気通路１８内をその形状に沿って流れ、しかる後に開口部１８Ｂからリアダクトに送られて、後席に対し吹出口から温風として吹き出される。但し、これは例示であり、エアミックスドア５の開度が０％でなければ良い。よって、この実施形態では、エアミックスドア５の開度及び開閉ドア２３の開度を調整することで、後席用空気通路１８を介してリアダクトから後席側に吹き出される吹出空気量を調整することもできる。
【００５２】
図１０において第４の実施形態のうち第２の例として示される後席用空気通路１８は、ユニットケース６の外壁部分と、加熱用熱交換器４に対し車両進行方向の前方側かつ長手方向に沿った側の途中部位から図の上方斜めに向けて延出し、エアミックスドア５の回動限界となる突当部位を構成した後、冷却用熱交換器２の下方に向けて延出し、この冷却用熱交換器２の下方から開口部２の下方を経て当該開口部２に対し車両進行方向の後方側にそのまま延出した壁部１９とで少なくとも画成されたものである。これに伴い、後席用空気通路１８の一方端は、加熱用熱交換器４の車両進行方向後方側の通風方向対峙面に接することで、当該加熱用熱交換器４の通風方向対峙面に対向して開口する空気取入口部１８Ａを有し、他方端は、温調ユニット１の車両進行方向の後方側で下方側となる部位に開口してリアダクトと接続する開口部１８Ｂを有する。この壁部１９は、エアミックスドア５から加熱用熱交換器４に空気を案内するガイドとしての役割も果たす。
【００５３】
しかるに、この実施形態によれば、エアミックスドア５の開度が１００％で温風通路７のみ開放されている場合には、図１０で示される矢印のように、開口部２から温調ユニット部１内に送り込まれた空気は、冷却用熱交換器３を通過して冷却された後、加熱用熱交換器の通過により加熱されて温風通路７に流入し、その後主な流れから下方に向けて分岐して反転し、再び加熱用熱交換器４の下部を通過して加熱されて、後席用空気通路１８の空気取入口部１８Ａに進む。そして、後席用空気通路１８内をその形状に沿って流れ、しかる後に開口部１８Ｂからリアダクトに送られて、後席に対し吹出口から相対的に高温の温風として吹き出される。但し、これは例示であり、エアミックスドア５の開度が０％でなければ良い。よって、この実施形態では、エアミックスドア５の開度を調整することで、後席用空気通路１８を介してリアダクトから後席側に吹き出される吹出空気量を調整することもできる。
【００５４】
図１１において第４の実施形態のうち第３の例として示される後席用空気通路１８は、その一部を加熱用熱交換器４から引き出された配管１７、１７を覆う配管カバー２０と兼用されているものである。すなわち、後席用空気通路１８は、その下流側部位が、加熱用熱交換器４の下方から温調ユニット部１の下側を車両進行方向の後方側に延びるダクト状部位で画成されたものである。これに対し、後席用空気通路１８の上流側部位を兼ねる配管カバー２０は、加熱用熱交換器４の上方から車両進行方向の前方側に延びる部位と、加熱用熱交換器４の長手方向に沿って延び、前記後席用空気通路１８の下流側部位と接続する部位とでボックス状に画成されている。これに伴い、後席用空気通路１８の上流側部位を兼ねる配管カバー２０は、加熱用熱交換器４よりも下流側（車両進行方向の前方）となる部位に開口する空気取入口部８Ａを有している。後席用空気通路１８の下流側部位は、ダクト状部位の配管カバー２０とは反対側端において温調ユニット１の車両進行方向の後方側で且つ下方側となる部位に開口してリアダクトと接続する開口部１８Ｂを有する。
【００５５】
しかるに、この実施形態によれば、エアミックスドア５の開度が１００％で温風通路７のみ開放され、更に開閉ドア２３が開放されている場合には、図１１で示される矢印のように、開口部２から温調ユニット部１内に送り込まれた空気は、冷却用熱交換器３を通過して冷却された後、加熱用熱交換器の通過により加熱されて、温風通路７に流入し、その後主な流れから、車両の幅方向に沿った流れに分岐して後席用空気通路１８の上流側部位を兼ねる配管カバー２０の空気取入口部１８Ａに進む。そして、配管カバー２０内を車両進行方向の後方側に流れて後席用空気通路１８の下流側部位に移る。最後に、後席用空気通路１８の下流側部位内をその形状に沿って流れ、しかる後に開口部１８Ｂからリアダクトに送られて、後席に対し吹出口から温風として吹き出される。但し、これは例示であり、エアミックスドア５の開度が０％でなければ良い。
【００５６】
よって、配管カバー２０と後席用空気通路１８の一部とが兼用となるので、後席用空気通路１８を確保するためのスペースが削減され、温調ユニット部１の省スペース化を図ることができる。また、この実施形態では、エアミックスドア５の開度を調整することで、後席用空気通路１８を介してリアダクトから後席側に噴き出される吹出空気量を調整することもできる。
【００５７】
そして、先述の第２の実施形態のうちの第２の例に対し、図１２では、一方開口部が温風通路７に接し、他方開口部が後席用空気通路１８の空気取入口部１８Ａに接する状態で、バッフルプレート２７が混合部位９に配置された状態が示されている。このバッフルプレート２７により、空気取入口部１８Ａに向う温風が冷却用通路８からの冷風に押されること等がなく、適量の温風が確実に送られる。このため、想定された温度以下で空気が後席から吹き出される事態を防止することが可能である。但し、これは例示であり、冷却用熱交換器２よりも上方に後席用空気通路１８の空気取入口部１８Ａが開口した実施形態、即ち、先述の第２の実施形態のうちの第１の例等に対して、バッフルプレート２７を配置するようにしても良く、これによっても上述したものと同一の作用効果を得ることができる。
【００５８】
そして、図１３は、先述の第２の実施形態のうちの第２の例に対しての変形例を示したものである。すなわち、後席用空気通路１８は、開口部２から冷却用熱交換器３までの整流ガイド路２８内に内壁１９を形成することで、当該整流ガイド路２８の一部を切り欠くようにして画成されている。これにより、後席用空気通路１８が冷却用熱交換器３に対し車両進行方向の後前方側面に回り込むように画成されていても、空気流入用開口部１８Ａより車両進行方向の後方側に突出しないので、温調ユニット部１の車両進行方向に沿った側の幅が相対的に狭まり、温調ユニット部１の省スペース化を図ることができる。但し、これは例示であり、後席用空気通路１８が冷却用熱交換器３に対し車両進行方向の後前方側面に回り込むように画成された実施形態、即ち、先述の第１の実施形態のうちの第１の例等に対して適用することが可能であり、これによっても上述したものと同一の作用効果を得ることができる。
【図面の簡単な説明】
【００５９】
【図１】図１は、この発明に係る空調ユニットの温調ユニット部の第１の実施形態のうちの更に第１の例における全体構成を示す断面図である。
【図２】図２は、同上の温調ユニット部の第１の実施形態のうちの第２の例における全体構成を示す断面図である。
【図３】図３は、同上の温調ユニット部の第１の実施形態のうちの更に第３の例における全体構成を示す断面図である。
【図４】図４は、同上の温調ユニット部の第１の実施形態のうちの第４の例における全体構成を示す断面図である。
【図５】図５は、同上の温調ユニット部の第１の実施形態のうちの第５の例における全体構成を示す断面図である。
【図６】図６は、同上の温調ユニット部の第２の実施形態のうちの更に第１の例における全体構成を示す断面図である。
【図７】図７は、同上の温調ユニット部の第２の実施形態のうちの第２の例における全体構成を示す断面図である。
【図８】図８は、同上の温調ユニット部の第３の実施形態における全体構成を示す断面図である。
【図９】図９は、同上の温調ユニット部の第４の実施形態のうちの更に第１の例における全体構成を示す断面図である。
【図１０】図１０は、同上の温調ユニット部の第４の実施形態のうちの第２の例における全体構成を示す断面図である。
【図１１】図１１は、同上の温調ユニット部の第４の実施形態のうちの第３の例における全体構成を示す断面図である。
【図１２】図１２は、同上の温調ユニット部のうち図７に示す実施形態に対しバッフルプレートを用いた変形例を示す全体構成断面図である。
【図１３】図１３（ａ）は、同上の温調ユニット部のうち図７に示す実施形態に対し変形例を示す側方から見た全体構成断面図であり、図１３（ｂ）は、図１３（ａ）のＩ−Ｉ線断面図である。
【符号の説明】
【００６０】
１  温調ユニット部
２  開口部（空気流入用開口部）
３  冷却用熱交換器
４  加熱用熱交換器
５  エアミックスドア
６  ユニットケース
７  温風通路
８  冷風通路
９  冷風通路と温風通路との合流部位
１０  ベント吹出用開口部
１１  デフ吹出用開口部
１２  フット吹出用開口部
１４  吹出モードドア
１６  配管（冷却用熱交換器から引き出される配管）
１７  配管（加熱用熱交換器から引き出される配管）
１８  後席用空気通路
１８Ａ  空気取入口部
１８Ｂ  開口部
１８Ｃ  開口部
１９  壁部
２０  配管カバー
２７  バッフルプレート
２８  整流ガイド路
【図１】
2005153754.tif 000003
【図２】
2005153754.tif 000004
【図３】
2005153754.tif 000005
【図４】
2005153754.tif 000006
【図５】
2005153754.tif 000007
【図６】
2005153754.tif 000008
【図７】
2005153754.tif 000009
【図８】
2005153754.tif 000010
【図９】
2005153754.tif 000011
【図１０】
2005153754.tif 000012
【図１１】
2005153754.tif 000013
【図１２】
2005153754.tif 000014
【図１３】
2005153754.tif 000015